(57)【要約】【課題】カバー部材が遊びを有した状態で支持される構成において、カバー部材の位置決めと検知を容易に行うことができる画像形成装置を提供する。【解決手段】画像形成装置は、本体筐体２と、本体筐体２に上下に遊びを有した状態で回動可能に支持され、本体筐体２に対して開閉可能なリヤカバー１００（カバー部材）と、リヤカバー１００に向けて突出して上下方向で互いに対向する上壁部２１１および下壁部２１２（一対の壁部）と、一対の壁部の間に固定されてリヤカバー１００の開閉を検知する開閉センサ２２０と、リヤカバー１００を閉じたときに一対の壁部と係合する係合部１５０と、リヤカバー１００に突出して設けられ、リヤカバー１００を閉じて一対の壁部と係合部１５０とが係合したときに開閉センサ２２０に作用して、開閉センサ２２０にリヤカバー１００が閉状態であることを示す信号を出力させる作用部１４０とを備えている。【選択図】図５
2010197695.tif 000002
【特許請求の範囲】
【請求項１】
装置本体と、
前記装置本体に上下に遊びを有した状態で回動可能に支持され、前記装置本体に対して開閉可能なカバー部材と、
前記装置本体に設けられ、前記カバー部材に向けて突出して上下方向で互いに対向する一対の壁部と、
前記一対の壁部の間に固定されて前記カバー部材の開閉を検知する検知手段と、
前記カバー部材に設けられ、前記カバー部材を閉じたときに前記一対の壁部と係合する係合部と、
前記カバー部材に突出して設けられ、前記カバー部材を閉じて前記一対の壁部と前記係合部とが係合したときに前記検知手段に作用して、前記検知手段に前記カバー部材が閉状態であることを示す信号を出力させる作用部と、を備えたことを特徴とする画像形成装置。
【請求項２】
前記カバー部材は、閉状態で記録シートが搬送される搬送経路の一部を構成し、開状態で前記搬送経路を露出させることを特徴とする請求項１に記載の画像形成装置。
【請求項３】
前記カバー部材は、前記装置本体と対向する面に上下方向に並んで配列された複数のリブを有し、
前記係合部は、前記複数のリブのうちの一対のリブから構成されていることを特徴とする請求項１または請求項２に記載の画像形成装置。
【請求項４】
前記作用部の高さは、前記係合部の高さより小さいことを特徴とする請求項１から請求項３のいずれか１項に記載の画像形成装置。
【請求項５】
前記一対の壁部および前記係合部の少なくとも一方には、係合するときに他方を誘い込むための傾斜面が設けられていることを特徴とする請求項１から請求項４のいずれか１項に記載の画像形成装置。
【発明の詳細な説明】
【技術分野】
【０００１】
本発明は、装置本体に対して開閉可能なカバー部材を備える画像形成装置に関する。
【背景技術】
【０００２】
一般に、プリンタなどの画像形成装置では、装置本体に対して開閉可能なカバーを設け、このカバーを開くことでカートリッジの交換や詰まった用紙の処理などを行うことができるように構成されているものがある。そして、カバーを装置本体に支持する構成として、カバーまたは装置本体の一方に設けた長穴に、他方に設けた回動軸を挿入することで、カバーを上下に遊びを有する状態で支持する構成が知られている（例えば、特許文献１参照）。
【０００３】
このような構成によれば、カバーの開閉時に、閉状態のカバーの位置を決める位置決め部（特許文献１では、カバーの掛止突起と装置本体の被掛止部）同士をゆとりを持たせて係合または係合解除させることができるので、遊びがない構成と比較して、カバーの開閉動作をよりスムーズに行うことができる。
【０００４】
また、開閉可能なカバーを有する画像形成装置には、位置決め部とは別に、カバーの開閉を検知するセンサが設けられている。このようなセンサは、装置本体に設けられ、カバーを閉じたときに、例えば、カバーに形成された突出部によって押されることでカバーの閉状態を検知している。
【先行技術文献】
【特許文献】
【０００５】
【特許文献１】特開２００６−２４００８４号公報
【発明の概要】
【発明が解決しようとする課題】
【０００６】
ところで、位置決め部とセンサとが別に設けられた従来の構成では、カバーを閉じるときに、位置決め部同士の位置と、センサおよび突出部の位置とをそれぞれ合わせる必要があるので、特にカバーが遊びを有する場合には、両方の位置を合わせながら閉じるのが難しいという問題があった。
【０００７】
そこで、本発明は、カバー部材が遊びを有した状態で支持される構成において、カバー部材の位置決めと検知を容易に行うことができる画像形成装置を提供することを目的とする。
【課題を解決するための手段】
【０００８】
前記した目的を達成するため、本発明の画像形成装置は、装置本体と、前記装置本体に上下に遊びを有した状態で回動可能に支持され、前記装置本体に対して開閉可能なカバー部材と、前記装置本体に設けられ、前記カバー部材に向けて突出して上下方向で互いに対向する一対の壁部と、前記一対の壁部の間に固定されて前記カバー部材の開閉を検知する検知手段と、前記カバー部材に設けられ、前記カバー部材を閉じたときに前記一対の壁部と係合する係合部と、前記カバー部材に突出して設けられ、前記カバー部材を閉じて前記一対の壁部と前記係合部とが係合したときに前記検知手段に作用して、前記検知手段に前記カバー部材が閉状態であることを示す信号を出力させる作用部と、を備えたことを特徴とする。
【０００９】
このように構成された画像形成装置によれば、カバー部材を閉じたときに、一対の壁部と係合部とが係合することで、閉状態のカバー部材の位置決めを行うことができる。そして、検知手段が一対の壁部の間に固定され、一対の壁部と係合部とが係合したときに検知手段に作用する作用部を有するので、一対の壁部と係合部を係合させるのと同時に検出手段と作用部を作用させることができるため、カバー部材の位置決めと検知を容易に行うことができる。
【発明の効果】
【００１０】
本発明の画像形成装置によれば、検知手段が一対の壁部の間に固定され、一対の壁部と係合部とが係合したときに検知手段に作用する作用部を有するので、カバー部材が遊びを有した状態で支持される構成において、カバー部材の位置決めと検知を容易に行うことができる。
【図面の簡単な説明】
【００１１】
【図１】本発明の実施形態に係る画像形成装置の一例としてのレーザプリンタの断面図である。
【図２】リヤカバーを開いた状態のレーザプリンタを後側から見た斜視図である。
【図３】リヤカバーの内面を示す拡大斜視図（ａ）と、（ａ）のＢ−Ｂ断面図（ｂ）である。
【図４】位置決め検知部の分解斜視図（ａ）と、位置決め検知部の断面図（ｂ）である。
【図５】リヤカバーが開状態のときのレーザプリンタの部分断面図（ａ）と、リヤカバーが閉状態のときのレーザプリンタの部分断面図（ｂ）と、係合部がセンサホルダに係合した状態を示す拡大断面図（ｃ）である。
【図６】係合部と作用部とを一体とした変形例に係る構成の断面図であり、係合前の係合作用部とセンサホルダを示す図（ａ）と、係合作用部がセンサホルダに係合した状態を示す図（ｂ）である。
【発明を実施するための形態】
【００１２】
＜レーザプリンタの概略構成＞
次に、本発明の実施形態について、適宜図面を参照しながら詳細に説明する。なお、以下の説明において、方向はレーザプリンタを使用するユーザを基準にした方向で説明する。すなわち、図１における右側を「前」、左側を「後」とし、手前側を「左」、奥側を「右」とする。また、図１における上下方向を「上下」とする。
【００１３】
図１に示すように、画像形成装置の一例としてのレーザプリンタ１は、装置本体の一例としての本体筐体２内に、記録シートの一例としての用紙Ｐを供給する給紙部３と、露光装置４と、用紙Ｐ上にトナー像を転写するプロセスカートリッジ５と、用紙Ｐ上に転写されたトナー像を熱定着させる定着装置８とを主に備えている。
【００１４】
給紙部３は、本体筐体２内の下部に設けられ、用紙Ｐを収容する給紙トレイ３１と、用紙Ｐの前側を持ち上げる用紙押圧板３２と、給紙ローラ３３と、給紙パット３４と、紙粉取りローラ３５，３６と、レジストローラ３７とを主に備えている。給紙トレイ３１内の用紙Ｐは、用紙押圧板３２によって給紙ローラ３３に寄せられ、給紙ローラ３３と給紙パット３４によって１枚ずつ分離され、紙粉取りローラ３５，３６およびレジストローラ３７を通ってプロセスカートリッジ５に向けて搬送される。
【００１５】
露光装置４は、本体筐体２内の上部に配置され、レーザ発光部（図示せず）と、回転駆動するポリゴンミラー４１と、レンズ４２，４３と、反射鏡４４，４５，４６とを主に備えている。露光装置４では、レーザ発光部から出射される画像データに基づくレーザ光（鎖線参照）が、ポリゴンミラー４１、レンズ４２、反射鏡４４，４５、レンズ４３、反射鏡４６の順に反射または通過して、感光体ドラム６１の表面で高速走査される。
【００１６】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、ドラムカートリッジ６と、現像カートリッジ７とから構成されている。
【００１７】
ドラムカートリッジ６は、感光体ドラム６１と、帯電器６２と、転写ローラ６３とを主に備えている。また、現像カートリッジ７は、ドラムカートリッジ６に対して着脱可能に装着される構成となっており、現像ローラ７１と、供給ローラ７２と、層厚規制ブレード７３と、トナー収容部７４とを主に備えている。
【００１８】
プロセスカートリッジ５では、感光体ドラム６１の表面が、帯電器６２により一様に帯電された後、露光装置４からのレーザ光の高速走査によって露光されることで、感光体ドラム６１上に画像データに基づく静電潜像が形成される。また、トナー収容部７４内のトナーは、供給ローラ７２を介して現像ローラ７１に供給され、現像ローラ７１と層厚規制ブレード７３との間に進入して一定厚さの薄層として現像ローラ７１上に担持される。
【００１９】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、感光体ドラム６１と転写ローラ６３との間を用紙Ｐが搬送されることで感光体ドラム６１上のトナー像が用紙Ｐ上に転写される。
【００２０】
定着装置８は、プロセスカートリッジ５の後方に設けられ、加熱ローラ８１と、加熱ローラ８１との間で用紙Ｐを挟持する加圧ローラ８２と、定着後の用紙Ｐを搬送する搬送ローラ８３とを主に備えている。用紙Ｐ上に転写されたトナーは、加熱ローラ８１と加圧ローラ８２との間を用紙Ｐが搬送されることで熱定着される。トナー像が熱定着された用紙Ｐは、搬送ローラ８３によって搬送経路２２に搬送され、搬送経路２２から排出ローラ２３によって排紙トレイ２４上に排出される。
【００２１】
＜リヤカバーの位置決めおよび閉状態の検知に関する構成＞
次に、本発明の特徴部分であるリヤカバー１００（カバー部材）の位置決めおよび閉状態の検知に関する構成について、適宜図面を参照しながら詳細に説明する。なお、以下の説明において、上下方向および前後方向は、それぞれ、リヤカバー１００の閉状態（図１の状態）における上下方向および前後方向に対応するものとする。
【００２２】
［リヤカバー側の構成］
図１に示すように、本体筐体２の後側には、カバー部材の一例としてのリヤカバー１００が設けられている。このリヤカバー１００は、下部に設けられた回動軸１０１が本体筐体２に設けられた上下に長い長穴２５に係合されることで、本体筐体２に対して上下に遊びを有した状態で回動（開閉）可能に支持されている。
【００２３】
リヤカバー１００の内面は、図１に示す閉状態において用紙Ｐが搬送される搬送経路２２の一部（用紙Ｐの一方の面を案内するガイド面）を構成しており、図２に示すように、開くことで搬送経路２２を外部に露出させることができる。これにより、搬送経路２２に詰まった用紙Ｐを容易に取り除くことができる。
【００２４】
図２および図３（ａ）に示すように、リヤカバー１００の内面（本体筐体２と対向する面）には、主に用紙Ｐの一方の面を案内するガイド面して機能する複数の搬送リブ１１０と、主にリヤカバー１００の剛性を高める補強材として機能する複数の第１補強リブ１２０（リブ）および第２補強リブ１３０とが形成されている。
【００２５】
搬送リブ１１０は、用紙Ｐの搬送方向（上下方向）に沿って延びるとともに、用紙Ｐの幅方向（左右方向）に並んで配列されている。最も外側の搬送リブ１１０は、レーザプリンタ１で画像形成が可能な複数種類の用紙Ｐのうち、最大幅となる用紙Ｐの幅方向両端部と対応する位置に設けられている。
【００２６】
第１補強リブ１２０は、左右方向に沿って延びるとともに、上下方向に並んで配列されている。また、第２補強リブ１３０は、リヤカバー１００の側面１０２と最も外側の搬送リブ１１０との間に２つずつ左右方向に並んで設けられ、上下方向に沿って延びている。
【００２７】
リヤカバー１００の内面の左側上寄りには、リヤカバー１００を閉じたときに、後述する本体筐体２の開閉センサ２２０に作用する作用部１４０が前方に向けて突出して設けられている。この作用部１４０は、隣り合って対向する一対の第１補強リブ１２０（１２１）と、対向する第２補強リブ１３０とによって囲まれるように設けられている。
【００２８】
また、本実施形態では、作用部１４０を囲むように設けられた対向する一対の第１補強リブ１２１と対向する第２補強リブ１３０とによって筒状の係合部１５０が形成されている。この係合部１５０は、リヤカバー１００を閉じたときに、後述する本体筐体２のセンサホルダ２１０と係合する（詳細には、センサホルダ２１０の外側に嵌り込む）。
【００２９】
図３（ｂ）に示すように、作用部１４０の高さＨ１（前後方向の長さ）は、係合部１５０（第１補強リブ１２１）の高さＨ２より小さくなっている。言い換えると、第１補強リブ１２１および第２補強リブ１３０は、作用部１４０より本体筐体２（前方）に向けて突出している。
【００３０】
また、リヤカバー１００の内面には、本体筐体２に設けられた一対の本体側フック部２６と係合することでリヤカバー１００を閉状態とする、公知の構成の一対のカバー側フック部１６０が設けられている（図２、図３（ａ）参照）。このカバー側フック部１６０と本体側フック部２６との係合を解除することで、リヤカバー１００を開くことができる。
【００３１】
［本体筐体側の構成］
図２に示すように、本体筐体２には、閉状態のリヤカバー１００の作用部１４０（係合部１５０）と対応する位置に、位置決め検知部２００が設けられている。位置決め検知部２００は、図４（ａ），（ｂ）に示すように、本体筐体２に直接設けられたセンサホルダ２１０と、検知手段の一例としての開閉センサ２２０とから構成されている。
【００３２】
センサホルダ２１０は、リヤカバー１００（後方）に向けて突出するように設けられた、上下方向で互いに対向する上壁部２１１および下壁部２１２（一対の壁部）と、左右方向で互いに対向する側壁部２１３，２１４とから四角筒状に形成されている。上壁部２１１の後端上部と下壁部２１２の後端下部には、それぞれ、係合するときに係合部１５０（第１補強リブ１２１）を誘い込むための傾斜面２１１Ａ，２１２Ａが設けられている。
【００３３】
開閉センサ２２０は、リヤカバー１００の開閉を検知するための公知のセンサであり、後述するように、作用部１４０が作用（当接）して揺動可能なレバー２２１が押されることで、リヤカバー１００が閉状態であることを示す信号をレーザプリンタ１の動作を制御する図示しない制御装置などに出力する。この開閉センサ２２０は、センサホルダ２１０の上壁部２１１、下壁部２１２および側壁部２１３，２１４によって形成されるセンサ取付穴２１５に嵌合されることで、本体筐体２（上壁部２１１と下壁部２１２の間）に固定されている。
【００３４】
なお、開閉センサ２２０の固定は、センサ取付穴２１５に嵌合するだけではなく、例えば、センサ取付穴２１５に嵌合した後に接着剤で固定してもよいし、センサ取付穴２１５に嵌合した後にネジで固定してもよい。
【００３５】
＜作用効果＞
次に、リヤカバー１００を閉じるときの動作と本実施形態に係るレーザプリンタ１の作用効果について説明する。
図５（ａ），（ｂ）に示すように、リヤカバー１００を閉じるときには、本体筐体２の位置決め検知部２００（センサホルダ２１０）と、リヤカバー１００の係合部１５０とを合わせながら閉じていく。
【００３６】
リヤカバー１００は、回動軸１０１と本体筐体２の長穴２５との係合により、本体筐体２に対して上下に遊びを有した状態で回動（開閉）可能に支持されているので、係合部１５０とセンサホルダ２１０とをゆとりを持たせてスムーズに係合させることができる。
【００３７】
さらに、センサホルダ２１０の上壁部２１１と下壁部２１２に設けられた傾斜面２１１Ａ，２１２Ａによって係合部１５０を誘い込むことで、係合部１５０とセンサホルダ２１０とを容易に係合させることができる。
【００３８】
このように、リヤカバー１００の係合部１５０と本体筐体２のセンサホルダ２１０とが係合することで、リヤカバー１００の位置決めを行うことができる。特に、リヤカバー１００が本体筐体２に上下に遊びを有した状態で支持される構成において、係合部１５０を構成する一対の第１補強リブ１２１と、センサホルダ２１０を構成する上壁部２１１および下壁部２１２とが互いに係合することで、リヤカバー１００の上下方向の位置決めを行うことができる（図５（ｃ）参照）。
【００３９】
そして、図５（ｃ）に示すように、係合部１５０とセンサホルダ２１０とが係合すると、同時に係合部１５０内に設けられた作用部１４０が、センサホルダ２１０の上壁部２１１と下壁部２１２の間に固定された開閉センサ２２０のレバー２２１に作用（当接）して、レバー２２１を揺動させる。
【００４０】
これにより、開閉センサ２２０からリヤカバー１００が閉状態であることを示す信号が出力されるので、リヤカバー１００の閉状態を検知することができる。
【００４１】
以上のように、レーザプリンタ１によれば、リヤカバー１００が上下に遊びを有した状態で支持される構成において、係合部１５０とセンサホルダ２１０とを係合させるのと同時に作用部１４０と開閉センサ２２０と作用（当接）させることができるので、リヤカバー１００の位置決めと検知を容易に行うことができる。
【００４２】
また、本実施形態では、開閉センサ２２０が本体筐体２（上壁部２１１と下壁部２１２の間）に固定されているので、開閉センサ２２０のがたつきを抑えることができる。開閉センサ２２０ががたつくと、開閉センサ２２０と図示しない制御装置などとを接続する配線が損傷したり、切れたりする可能性が高くなり、装置の寿命が短くなるおそれがある。本実施形態のように開閉センサ２２０を固定することで、レーザプリンタ１の長寿命化を図ることができる。
【００４３】
また、本実施形態では、センサホルダ２１０が筒状に形成されているので、リヤカバー１００を閉じるときにリヤカバー１００の位置が上下にずれても、第１補強リブ１２１が側壁部２１３，２１４と当接することで、リヤカバー１００が閉まらないので、リヤカバー１００が正しい位置ではないことに容易に気付くことができる。これにより、リヤカバー１００の位置決め（閉動作）と検知を確実に行うことができる。
【００４４】
また、仮に、カバー側フック部１６０の一部が本体側フック部２６の一部に引っ掛かって、見かけ上、リヤカバー１００が閉状態となっても、第１補強リブ１２１が側壁部２１３，２１４と当接することで、第１補強リブ１２１と開閉センサ２２０のレバー２２１とが当接することを防止できる。これにより、リヤカバー１００が正しく閉じられていないのに、開閉センサ２２０が閉状態を検知することを防止することができるので、リヤカバー１００が正しい位置ではないことに気付くことができる。
【００４５】
なお、本発明は、レーザプリンタ１のように、ユーザによってリヤカバー１００（カバー部材）の開閉が行われる画像形成装置において特に有効なものである。なぜならば、リヤカバー１００は、閉状態で用紙Ｐが搬送される搬送経路２２の一部を構成し、開状態で搬送経路２２を露出させるので、正しく閉じられないと、搬送経路２２において用紙Ｐの搬送に不具合（例えば、用紙詰まりなど）が生じるおそれがある。そのため、リヤカバー１００の位置決めと検知を容易に行うことが重要となるからである。
【００４６】
係合部１５０がリヤカバー１００に設けられた複数のリブのうちの、一対の第１補強リブ１２１および第２補強リブ１３０から構成されているので、リブとは別に係合部を設ける構成と比較して、リヤカバー１００の構成を簡略化（または、部品点数を削減）することができる。また、係合部をリヤカバー１００とは別の部品として形成し、取り付ける場合と比較して、レーザプリンタ１の組立工程を簡略化することができる。
【００４７】
作用部１４０の高さＨ１が係合部１５０（第１補強リブ１２１）の高さＨ２より小さい、すなわち、リヤカバー１００を開いたときに作用部１４０に物などが当たりにくいので、物などが当たった衝撃で作用部１４０が折れてしまうことを抑制することができる。
【００４８】
以上、本発明の実施形態について説明したが、本発明は前記実施形態に限定されるものではない。具体的な構成については、本発明の趣旨を逸脱しない範囲で適宜変更が可能である。
【００４９】
前記実施形態では、作用部１４０の高さＨ１が係合部１５０（第１補強リブ１２１）の高さＨ２より小さい例を示したが、本発明はこれに限定されず、作用部の高さと係合部の高さが同じであってもよい。この場合でも、カバー部材を開いたときに作用部に物などが当たりにくいので、作用部が折れてしまうことを抑制することができる。
【００５０】
前記実施形態では、センサホルダ２１０の上壁部２１１と下壁部２１２（一対の壁部）に傾斜面２１１Ａ，２１２Ａが設けられた構成を示したが、本発明はこれに限定されず、係合部１５０に傾斜面が設けられていてもよい。具体的には、図３（ｂ）に示す上側の第１補強リブ１２１の前端下部と下側の第１補強リブ１２１の前端上部に、それぞれ傾斜面が設けられていてもよい。また、一対の壁部と係合部の両方に傾斜面が設けられていてもよい。なお、本発明の傾斜面は、平らな傾斜面に限定されず、例えば、断面視円弧状の傾斜面などであってもよい。
【００５１】
前記実施形態では、リヤカバー１００（カバー部材）が作用部１４０と係合部１５０とを別個に備える例を示したが、本発明はこれに限定されるものではない。例えば、図６（ａ），（ｂ）に示すように、作用部の機能と係合部の機能とを一体にしたような、係合作用部１７０をリヤカバー１００に設けてもよい。
【００５２】
補足すると、係合作用部１７０は、リヤカバー１００に前方に向けて突出するように設けられ、センサホルダ２１０のセンサ取付穴２１５内に嵌合可能な形状および大きさに形成されている。リヤカバー１００を閉じると、係合作用部１７０とセンサホルダ２１０のセンサ取付穴２１５（上壁部２１１および下壁部２１２）とが嵌合することで、リヤカバー１００の位置決めを行うことができる。同時に係合作用部１７０が開閉センサ２２０のレバー２２１に当接してレバー２２１を揺動させることで、リヤカバー１００の閉状態を検知することができる。
【００５３】
前記実施形態では、係合部１５０を構成する一対のリブとして、隣り合う第１補強リブ１２１，１２１を採用した例を示したが、本発明はこれに限定されず、例えば、隣り合わない一対のリブを採用してもよい。具体的には、係合部を構成する一対のリブの間に別のリブが１つまたは複数設けられていてもよい。この場合には、係合部を構成する一対のリブの間に設けた別のリブを作用部とすることができる。
【００５４】
前記実施形態では、係合部として、リヤカバー１００に設けられたリブ（第１補強リブ１２１および第２補強リブ１３０）から構成された係合部１５０を例示したが、本発明はこれに限定されるものではない。例えば、リヤカバー１００（カバー部材）に設けられるリブとは別に係合部を設ける構成としてもよい。
【００５５】
なお、この場合において、係合部の高さを、リブの高さと同じにするか、またはリブの高さより小さくすることで、カバー部材を開いたときに係合部に物などが当たりにくくなるので、係合部が折れてしまうことを抑制することができる。
【００５６】
前記実施形態では、第１補強リブ１２１，１２１と第２補強リブ１３０，１３０とから構成された係合部１５０を例示したが、第２補強リブ１３０を備えない構成であってもよい。
【００５７】
前記実施形態では、センサホルダ２１０（一対の壁部）を本体筐体２に直接設けた構成を示したが、本発明はこれに限定されるものではない。例えば、センサホルダ２１０を本体筐体２とは別の部品として形成し、組立時に本体筐体２に取り付けることで、センサホルダ２１０（一対の壁部）を本体筐体２に設ける構成としてもよい。
【００５８】
前記実施形態では、上壁部２１１および下壁部２１２（一対の壁部）と側壁部２１３，２１４とから構成されたセンサホルダ２１０を例示したが、本発明において側壁部２１３，２１４は必須の構成ではないため省略してもよい。
【００５９】
なお、前記したように、側壁部２１３，２１４がある（センサホルダ２１０が筒状に形成されている）ことで、リヤカバー１００の位置が上下にずれたときには、係合部１５０（第１補強リブ１２１）と側壁部２１３，２１４とが当接する。これにより、リヤカバー１００を閉まらないようにすることができる。また、仮に見かけ上閉まっても作用部１４０がレバー２２１に当接できないので、開閉センサ２２０の誤検知を防止することができる。その結果、リヤカバー１００の位置決めと検知を確実に行うことができる。
【００６０】
このような効果は、筒状のセンサホルダ２１０と、このセンサホルダ２１０の外側に嵌り込む係合部１５０とを備える構成に特有のものではない。例えば、装置本体の一対の壁部と、この一対の壁部の外側に嵌り込む一対の係合壁を有する係合部とを備える構成において、一対の壁部をつなぐような第１の壁部を設けた場合にも同様の効果を得ることができる。このような構成では、カバー部材の位置が上下にずれたときには、一対の係合壁の一方と第１の壁部とが当接する。
【００６１】
また、装置本体の一対の壁部と、この一対の壁部の内側に嵌り込む一対の係合壁を有する係合部とを備える構成において、一対の係合壁をつなぐような第２の壁部を設けた場合にも同様の効果を得ることができる。このような構成では、カバー部材の位置が上下にずれたときには、第２の壁部と一対の壁部の一方とが当接する。
【００６２】
前記実施形態では、検知手段として、作用部１４０によりレバー２２１が押されることで閉状態を検知する開閉センサ２２０を例示したが、本発明はこれに限定されるものではない。例えば、検知手段として、一対の発光素子と受光素子とを備え、受光素子での光の検知状態の変化によってカバー部材の開閉を検知する公知の光センサを採用してもよい。
【００６３】
なお、検知手段として光センサを採用する場合には、カバー部材に設ける作用部は、例えば、板状に形成され、センサホルダ（一対の壁部）と係合部とが係合したときに、発光素子と受光素子との間に位置して、発光素子から受光素子に出射される光を遮蔽することで光センサ（検知手段）に作用するものを採用することができる。
【００６４】
前記実施形態では、カバー部材としてリヤカバー１００を例示したが、本発明は、装置本体に上下に遊びを有した状態で回動可能に支持され、装置本体に対して開閉可能なカバー部材であれば特に限定されない。具体例として、カバー部材は、フロントカバー２１や図示しないサイドカバーなどであってもよい。
【００６５】
前記実施形態では、画像形成装置としてレーザプリンタ１を例示したが、本発明はこれに限定されず、例えば、複写機や複合機などであってもよい。
前記実施形態では、記録シートとして、いわゆる普通紙やはがきなどの用紙Ｐを例示したが、本発明はこれに限定されず、例えば、ＯＨＰシートなどであってもよい。
【符号の説明】
【００６６】
１      レーザプリンタ
２      本体筐体
２２    搬送経路
２５    長穴
１００  リヤカバー
１０１  回動軸
１２０  第１補強リブ
１２１  第１補強リブ
１３０  第２補強リブ
１４０  作用部
１５０  係合部
２００  位置決め検知部
２１０  センサホルダ
２１１  上壁部
２１１Ａ  傾斜面
２１２  下壁部
２１２Ａ  傾斜面
２２０  開閉センサ
Ｈ１    高さ
Ｈ２    高さ
Ｐ      用紙
【図１】
2010197695.tif 000003
【図２】
2010197695.tif 000004
【図３】
2010197695.tif 000005
【図４】
2010197695.tif 000006
【図５】
2010197695.tif 000007
【図６】
2010197695.tif 000008